(57)【要約】      （修正有）【課題】部品点数の増加によるコスト増を招くことなく、表示ユニットの表示パネルとシャーシ部材との間に隙間が発生しないようにして、シールド効果を高める仕組みを提供する。【解決手段】シャーシ部材１０８は、表示パネル１０７の裏面を覆う第１の部分１０８ｂに接続されて、表示パネル１０７の表示面１０７ｂの側部を覆う第２の部分１０８ａと対向配置され、上下方向に互いに離間して設けられる可撓性を有する一対の腕部１０８ｅと、腕部１０８ｅの先端と第２の部分１０８ａを接続する曲げ部１０８ｃとを有する。基板１０９の側部は、一対の腕部１０８ｅの間に配置されて、前記収納状態での弾性部材１０６の弾性反発力でシャーシ部材１０８が基板１０６に押し付けられた際に、腕部１０８ｅの撓み変形を許容して、第２の部分１０８ａを表示パネル１０７に当接させる。【選択図】図２
2013134328.tif 000002
【特許請求の範囲】
【請求項１】
表示ユニットを備える電子機器であって、
前記表示ユニットは、
表面側に配置される表示面の側部に電気素子が実装される表示パネルと、
前記表示パネルが組み付けられ、前記組み付けられた状態で前記表示パネルの裏面と前記表示面の側部とを隙間を介して覆うシャーシ部材と、
前記表示パネルの前記表面側に配置される弾性部材と、
前記シャーシ部材の裏面側に配置される回路基板と、
前記弾性部材を圧縮変形させた状態で、前記表示パネル、前記シャーシ部材、前記弾性部材、及び前記回路基板を収納する外装部材と、を有し、
前記シャーシ部材は、
前記表示パネルの裏面を覆う第１の部分と、
前記表示パネルの前記表示面の側部を覆う第２の部分と、
前記第１の部分の前記表示パネルの前記表示面の側部の側に前記第２の部分と平行に対向配置され、前記表示面の上下方向に互いに離間して設けられる可撓性を有する一対の腕部と、
前記一対の腕部の先端と前記第２の部分とを接続する一対の曲げ部と、を有し、
前記回路基板は、前記一対の腕部の側の側部が前記一対の腕部の間に配置されて、前記収納状態での前記弾性部材の圧縮変形による弾性反発力により前記シャーシ部材が前記押え部材に向けて押し付けられた際に、前記一対の腕部の撓み変形を許容して、前記第２の部分を前記表示パネルに当接させることを特徴とする電子機器。
【請求項２】
前記シャーシ部材の前記一対の腕部の間をフレキシブル配線板が挿通して前記回路基板と前記表示パネルとを接続し、
前記シャーシ部材には、前記第２の部分に接続されて、前記一対の腕部の間を挿通する前記フレキシブル配線板を案内するガイド板が設けられることを特徴とする請求項１に記載の電子機器。
【発明の詳細な説明】
【技術分野】
【０００１】
本発明は、表示ユニットを備えるデジタルカメラやデジタルビデオカメラ等の電子機器に関する。
【背景技術】
【０００２】
デジタルカメラやデジタルビデオカメラ等に設けられる表示ユニットは、液晶等の表示パネル、及び表示パネルを駆動する集積回路を含む電気素子が実装された基板等をケースに収納して構成される。ところで、表示パネルの表示駆動時には、基板上の電気素子から高周波ノイズが発せられて、周囲の電子機器に悪影響を与えたり、逆に外部から静電気を受けて電気素子の不具合が発生する。
【０００３】
このため、シールド部材として、表示パネルの表示面の周囲の電気素子を覆うように枠状のシャーシ部材を配置したり、表示パネルの裏面全体を覆うようにシャーシ部材を配置したりすることが行われている。しかし、組立性等の都合により表示パネルの表示面と、表示面の周囲の電気素子を覆う枠状のシャーシ部材との間に隙間が発生し、電気素子から外部に高周波ノイズが放出されることがある。
【０００４】
そこで、表示パネルの表示面と、表示面の周囲の電気素子を覆う枠状のシャーシ部材との間の隙間に導電性のスペーサを介装することで、わずかな隙間から外部に放出される高周波ノイズのシールド効果を高めた技術が提案されている（特許文献１）。
【先行技術文献】
【特許文献】
【０００５】
【特許文献１】特開平８−２０１７８１号公報
【発明の概要】
【発明が解決しようとする課題】
【０００６】
しかし、上記特許文献１では、導電性スペーサや、表示パネルの表示面側と裏面側を覆う別々のシャーシ部材が必要となるため、部品点数の増加によるコストアップにつながる。この場合、断面コ字状のシャーシ部材に表示パネルを挿入することにより、表示パネルの表示面側と裏面側とを一つのシャーシ部材で覆うことができる。
【０００７】
しかし、断面コ字状のシャーシ部材に表示パネルを組み付ける際に必要な隙間やシャーシ部材の曲げ部の寸法公差、表示パネルの厚み公差等を考慮すると、表示パネルとシャーシ部材との間に隙間が発生してしまう。このため、表示パネルががたついたり、十分なシールド効果が得られない可能性がある。
【０００８】
そこで、本発明は、部品点数の増加によるコストアップを招くことなく、表示ユニットの表示パネルとシャーシ部材との間に隙間が発生しないようにして、シールド効果を高めることができる仕組みを提供することを目的とする。
【課題を解決するための手段】
【０００９】
上記目的を達成するために、本発明は、表示ユニットを備える電子機器であって、前記表示ユニットは、表面側に配置される表示面の側部に電気素子が実装される表示パネルと、前記表示パネルが組み付けられ、前記組み付けられた状態で前記表示パネルの裏面と前記表示面の側部とを隙間を介して覆うシャーシ部材と、前記表示パネルの前記表面側に配置される弾性部材と、前記シャーシ部材の裏面側に配置される回路基板と、前記弾性部材を圧縮変形させた状態で、前記表示パネル、前記シャーシ部材、前記弾性部材、及び前記回路基板を収納する外装部材と、を有し、前記シャーシ部材は、前記表示パネルの裏面を覆う第１の部分と、前記表示パネルの前記表示面の側部を覆う第２の部分と、前記第１の部分の前記表示パネルの前記表示面の側部の側に前記第２の部分と平行に対向配置され、前記表示面の上下方向に互いに離間して設けられる可撓性を有する一対の腕部と、前記一対の腕部の先端と前記第２の部分とを接続する一対の曲げ部と、を有し、前記回路基板は、前記一対の腕部の側の側部が前記一対の腕部の間に配置されて、前記収納状態での前記弾性部材の圧縮変形による弾性反発力により前記シャーシ部材が前記押え部材に向けて押し付けられた際に、前記一対の腕部の撓み変形を許容して、前記第２の部分を前記表示パネルに当接させることを特徴とする。
【発明の効果】
【００１０】
本発明によれば、部品点数の増加によるコストアップを招くことなく、表示ユニットの表示パネルとシャーシ部材との間に隙間が発生しないようにして、シールド効果を高めることができる。
【図面の簡単な説明】
【００１１】
【図１】（ａ）は本発明の電子機器の実施形態の一例であるデジタルビデオカメラの斜視図、（ｂ）は（ａ）に示すデジタルビデオカメラを背面側から見た斜視図である。
【図２】表示ユニットの分解斜視図である。
【図３】（ａ）は表示パネルが組み込まれたシャーシ部材を裏面側から見た図、（ｂ）は（ａ）のＡ−Ａ線断面図、（ｃ）は表示パネルが組み込まれたシャーシ部材を表面側から見た図である。
【図４】図３（ｂ）のＢ部拡大図である。
【図５】（ａ）は表示ユニットから裏面側カバーを取り外した状態を示す平面図、（ｂ）は（ａ）のＡ−Ａ線断面図である。
【図６】図５（ｂ）のＢ部拡大図である。
【発明を実施するための形態】
【００１２】
以下、本発明の実施形態の一例を図面を参照して説明する。
【００１３】
図１（ａ）は本発明の電子機器の実施形態の一例であるデジタルビデオカメラの斜視図、図１（ｂ）は図１（ａ）に示すデジタルビデオカメラを背面側から見た斜視図である。
【００１４】
本実施形態のデジタルビデオカメラは、図１に示すように、撮像光学系１０１を通過した被写体像を不図示の撮像素子で光電変換して得られた画像データを表示するための表示ユニット１０２がカメラ本体１００に対して開閉可能に支持されている。
【００１５】
図２は、表示ユニット１０２の分解斜視図である。図２に示すように、表示ユニット１０２は、タッチパネル１０３、表面側カバー１０５、弾性部材１０６、表示パネル１０７、シャーシ部材１０８、回路基板１０９、及び裏面側カバー１１０が表面側から裏面側に向けて順番に配置されている。
【００１６】
タッチパネル１０３は、表面側カバー１０５に両面テープ１０４によって接着固定されて、表示パネル１０７とともに回路基板１０９に電気的に接続される。表示パネル１０７は、ＬＣＤ等で構成され、表示面１０７ｂの側部に実装されたドライバＩＣ１０７ａ等の電気素子と裏面とが覆われるようにシャーシ部材１０８に組み込まれる。これにより、表示パネル１０７の表示面１０７ｂ側と裏面側とを一つのシャーシ部材１０８で覆うようにしている。
【００１７】
シャーシ部材１０８は、導電性材料で形成されることでシールド部材として機能し、表示パネル１０７が組み込まれた状態で、弾性部材１０６及び回路基板１０９とともに表面側カバー１０５と裏面側カバー１１０との間に収納される。かかる収納状態においては、弾性部材１０６は、表面側カバー１０５とシャーシ部材１０８との間で圧縮変形してシャーシ部材１０８を回路基板１０９側に押し付けることで、表示パネル１０７のがたつきを防止する。ここで、表面側カバー１０５は、本発明の外装部材の一例に相当する。
【００１８】
図３（ａ）は表示パネル１０７が組み込まれたシャーシ部材１０８を裏面側から見た図、図３（ｂ）は図３（ａ）のＡ−Ａ線断面図、図３（ｃ）は表示パネル１０７が組み込まれたシャーシ部材１０８を表面側から見た図、図４は図３（ｂ）のＢ部拡大図である。
【００１９】
図３及び図４に示すように、シャーシ部材１０８は、図の左右方向に長い略長方形状の第１の部分１０８ｂを備える。第１の部分１０８ｂの長手方向の一側には、第１の部分１０８ｂに沿って延びる一対の腕部１０８ｅが表示パネル１０７の表示面１０７ｂの上下方向（第１の部分１０８ｂの短手方向）に互いに離間して設けられている。
【００２０】
一対の腕部１０８ｅは、可撓性を有し、その先端には、それぞれ第１の部分１０８ｂの板厚方向に延びる曲げ部１０８ｃが設けられ、一対の曲げ部１０８ｃの先端は、一対の腕部１０８ｅと略平行に対向配置される第２の部分１０８ａにより接続されている。
【００２１】
また、第２の部分１０８ａの略中央部には、第１の部分１０８ｂから離れる方向に第１の部分１０８ｂと略平行に延びた後、第１の部分１０８ｂ側に略直角に折り曲げられて第１の部分１０８ｂから板厚方向に突出する位置まで延びるガイド板１０８ｄが設けられる。
【００２２】
そして、表示パネル１０７は、一対の腕部１０８ｅ、一対の曲げ部１０８ｃ、及び第２の部分１０８ａによって囲まれる断面コ字状の空間に挿入されてシャーシ部材１０８に組み付けられる。
【００２３】
かかる組み付け状態においては、第１の部分１０８ｂは、表示パネル１０７の裏面の略全域を覆って表示パネル１０７から放出される高周波ノイズが外部に漏れないようにすると共に、表示パネル１０７への外部からの静電気等を遮断する。又、第２の部分１０８ａは、表示パネル１０７の表示面１０７ｂの側部に実装されたドライバＩＣ１０７ａ等を覆ってドライバＩＣ１０７ａから放出される高周波ノイズが外部に漏れないようにすると共に、ドライバＩＣ１０７ａへの外部からの静電気等を遮断する。
【００２４】
ここで、一対の腕部１０８ｅと第２の部分１０８ａとの間隔は、表示パネル１０７の厚さより若干大きくなっており、シャーシ部材１０８に組み込まれた表示パネル１０７と第２の部分１０８ａとの間には、隙間ｔ０が形成される。これにより、シャーシ部材１０８の曲げ公差や表示パネル１０７の厚み公差を考慮しても、シャーシ部材１０８に表示パネル１０７を組み付けやすくしている。
【００２５】
また、一対の腕部１０８ｅの間隔Ｌ１は、表示パネル１０７と回路基板１０９とを接続するフレキシブル配線板１０７ｃの幅Ｌ０より大きくなっており、一対の腕部１０８ｅの間の空間をフレキシブル配線板１０７ｃが挿通可能になっている。一対の腕部１０８ｅの間の空間を挿通したフレキシブル配線板１０７ｃは、ガイド板１０８ｄに沿うように案内されて回路基板１０９側に引き出される。これにより、フレキシブル配線板１０７ｃから放出される高周波ノイズが外部に漏れないようにすると共に、フレキシブル配線板１０７ｃへの外部からの静電気等を遮断する。
【００２６】
図５（ａ）は表示ユニット１０２から裏面側カバー１１０を取り外した状態を示す平面図、図５（ｂ）は図５（ａ）のＡ−Ａ線断面図、図６は図５（ｂ）のＢ部拡大図である。
【００２７】
図５に示すように、シャーシ部材１０８及び回路基板１０９は、図のＣ部分で表面側カバー１０５に弾性部材１０６を介してビス等で固定され、これにより、シャーシ部材１０８と回路基板１０９とが電気的に接続されている。また、シャーシ部材１０８は、不図示の導通部材を介してカメラ本体１００の内部に電気的に接続される。
【００２８】
そして、図５の状態では、弾性部材１０６は、前述したように、表面側カバー１０５とシャーシ部材１０８との間で圧縮変形することで、表示パネル１０７のがたつきを防止する。このとき、弾性部材１０６の弾性反発力は、図６に示すように、シャーシ部材１０８の第２の部分１０８ａを表示パネル１０７とともに回路基板１０９に押し付けて、前述した表示パネル１０７と第２の部分１０８ａとの間の隙間ｔ０を小さくするように作用する。
【００２９】
ここで、シャーシ部材１０８の一対の腕部１０８ｅの間隔Ｌ１は、回路基板１０９の幅Ｌ２より長くなっている。従って、弾性部材１０６の弾性反発力によって第２の部分１０８ａが回路基板１０９側に押しつけられた際に、一対の腕部１０８ｅは、回路基板１０９に当接することなく寸法ｔ２（＝ｔ０）の撓み変形が許容される。これにより、第２の部分１０８ａが表示パネル１０７に当接して図４に示す隙間ｔ０を隙間ｔ１＝０とすることができ、シールド効果を高めることができる。
【００３０】
以上説明したように、本実施形態では、部品点数の増加によるコストアップを招くことなく、表示ユニット１０２の表示パネル１０７とシャーシ部材１０８との間に隙間が発生しないようにして、シールド効果を高めることができる。
【００３１】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３２】
１０２  表示ユニット
１０５  表面側カバー
１０６  弾性部材
１０７  表示パネル
１０７ｂ  表示面
１０８  シャーシ部材
１０８ａ  第２の部分
１０８ｂ  第１の部分
１０８ｃ  曲げ部
１０８ｅ  腕部
１０９  回路基板
【図１】
2013134328.tif 000003
【図２】
2013134328.tif 000004
【図３】
2013134328.tif 000005
【図４】
2013134328.tif 000006
【図５】
2013134328.tif 000007
【図６】
2013134328.tif 000008